(57)【要約】【課題】屋内や屋外で火災が発生しても、枠部と障子との隙間から火炎等が連通することを阻止する。【解決手段】外枠１１の障子１５側の内面に縦アタッチメント枠１８を取り付け、縦アタッチメント枠１８の戸当り片１８ｂと障子１５の縦框２２との間にアングル形状の隔壁３３を固定した。隔壁３３に加熱発泡材３９を固定した。火災時に戸当り片１８ｂが熱変形して隔壁３３との間に隙間が生じても、隔壁３３によって火炎の屋内外貫通を防止し、加熱発泡材３９の熱膨張で隙間を封止する。縦アタッチメント枠１８の本体１８ａと縦框２２と隔壁３３で仕切る空間ｋ１内下部にステイダンパー３４を設けた。空間ｋ１の本体１８ａと縦框２２と隔壁３３に加熱発泡材３６，３７，３８を固定し、火災時に熱膨張してステイダンパー３４を包囲して封止し、隔壁３３で加熱発泡材の密度を確保した。【選択図】図４
2015048692.tif 000002
【特許請求の範囲】
【請求項１】
枠部に障子が当接可能な戸当り部が設けられ、前記戸当り部と障子との当接部に対向するように隔壁が設けられていることを特徴とする建具。
【請求項２】
前記隔壁、前記枠部、及び前記障子の少なくともいずれかに加熱発泡材が設けられている請求項１に記載された建具。
【請求項３】
前記隔壁の前記当接部と反対側における前記枠部と障子で仕切られた空間にステイダンパーが設置されている請求項１または２に記載された建具。
【請求項４】
前記隔壁は前記枠部または前記障子の一方に固定され、他方との間に間隙が形成されている請求項１乃至３のいずれか１項に記載された建具。
【請求項５】
前記隔壁は前記枠部と前記障子に固定されている請求項１乃至３のいずれか１項に記載された建具。
【請求項６】
前記枠部はアタッチメントであり、前記アタッチメントの障子と反対側に外枠が設けられた請求項１乃至５のいずれか１項に記載された建具。
【発明の詳細な説明】
【技術分野】
【０００１】
本発明は、ＦＩＸ窓（嵌め込み窓）や引き違い障子や排煙窓等の障子を納めた各種の窓やドア等を含む建具に関する。
【背景技術】
【０００２】
従来、特許文献１に記載された連続ストアフロントでは、左右の縦枠と上枠及び下枠とからなる枠体において、左右の縦枠と上下枠の各両端面は長手方向に直角に切断された（これをぶつ切りという）切断面を有しており、枠体の左右の縦枠に上枠と下枠の両端面が当接して連結されている。そして、左右の縦枠と上枠及び下枠とにおける呑み込み部の開口端部にアタッチメントを設けることで、嵌め込みタイプ以外の各窓種タイプに対応できるようにしている。
また、特許文献２に記載された排煙窓においても、四辺の枠材がぶつ切りの端面を有していてキャップを角部で嵌合することでガラスパネルを保持している。
【０００３】
また、図８〜図９に示すストアフロント等に用いられる店装商品である排煙窓１は、例えば建物の開口部に固定された左右の縦枠２ａと上枠及び下枠２ｂを組み立てた外枠２内に障子３が開閉可能に嵌め込まれている。障子３は左右の縦框３ａと上框及び下框３ｂとからなる框体内にガラスパネル７を保持している。しかも、外枠２と障子３は、各枠材と各框材の両端面が長手方向に直角をなす切断面を有している。
【０００４】
外枠２の左右の縦枠２ａと上枠及び下枠２ｂの内面には、窓用のアタッチメント枠４がねじ等でそれぞれ固定されており、アタッチメント枠４に設けた戸当り部４ａの凹部に不燃性の気密材５が嵌合され、この戸当り部４ａに障子３の縦框３ａが当接して閉鎖状態を形成して気密または水密に封止されている。しかも、アタッチメント枠４と障子３の縦框３ａとの間の空間内には上下方向の下部にステイダンパー６が設置されている。
【先行技術文献】
【特許文献】
【０００５】
【特許文献１】特開平７−１９７７４２号公報
【特許文献２】特開２００４−２５１０２７号公報
【発明の概要】
【発明が解決しようとする課題】
【０００６】
ところで、図８〜図９に示す排煙窓１等において室内や室外に火災が発生すると、障子３の框材よりもアタッチメント枠４の方が薄板形状であるため熱変形の度合いが大きく、例えば縦框３ａとアタッチメント枠４の戸当り部４ａとの間に隙間が生じてしまう。この場合、アタッチメント枠４の熱変形が大きいと、気密材５では対応できない大きな隙間が戸当り部４ａと縦框３ａとの間に生じてしまう。すると、空気や火炎が図９の矢印で示すように隙間を通して屋内外に連通して火災が拡大するという不具合があった。
しかも、排煙窓１の縦框３ａとアタッチメント枠４との間の空間に難燃性のオイルを含むステイダンパー６を設置していると、加熱でオイルが燃焼したり飛散したりする可能性があり、戸当り部４ａと障子３の縦框３ａとの隙間から屋内に火炎やオイル等が侵入する恐れがあった。
【０００７】
本発明は、このような課題に鑑みてなされたものであって、屋内や屋外で火災が発生したとしても、障子と枠部との間に生じる隙間から火炎等が連通することを阻止するようにした建具を提供することを目的とする。
【課題を解決するための手段】
【０００８】
本発明による建具は、枠部に障子が当接可能な戸当り部が設けられ、戸当り部と障子との当接部に対向するように隔壁が設けられていることを特徴とする。
本発明によれば、火災発生時に枠部と障子が熱変形して枠部の戸当り部と障子との当接部に隙間が生じたとしても、隔壁によって屋内外への火炎の連通を阻止して火災の拡大を抑制できる。
【０００９】
また、隔壁、枠部、及び障子の少なくともいずれかに加熱発泡材が設けられていることが好ましい。
隔壁と枠部と障子の少なくともいずれかに加熱発泡材を固定しておけば、火災時に、隔壁による火炎の連通の阻止に加えて、加熱発泡材の熱膨張によって枠部の戸当り部と障子との当接部に生じる隙間を封止でき、しかも膨張時の加熱発泡材を隔壁で止めて密度を確保できるため、火炎の屋内外への流通を隔壁と加熱発泡材の二段階で阻止できる。
【００１０】
また、隔壁の当接部と反対側における枠部と障子で仕切られた空間にステイダンパーが設置されていてもよい。
火災等によってステイダンパーに含まれるオイル等が燃焼したり飛散したりしたとしても、隔壁によって火炎や空気の屋内外への流通を阻止でき、更に加熱発泡材が熱膨張することで戸当り部と障子との隙間を封止すると共にステイダンパーを封止できる。
【００１１】
また、隔壁は枠部または障子の一方に固定され、他方との間に間隙が形成されていてもよい。
隔壁が枠部と障子の一方に固定され他方に間隙があっても、火災による火炎や空気の屋内外への直線的な流通や貫通を阻止できる。
また、隔壁は枠部と障子にそれぞれ固定されていてもよい。
隔壁が枠部と障子とにそれぞれ固定されていれば、火災による火炎や空気の屋内外への流通や貫通を確実に阻止できる。
【００１２】
また、枠部はアタッチメントであり、アタッチメントの障子と反対側に外枠が設けられていることが好ましい。
火災発生時に障子の框体とアタッチメントの戸当り部が熱変形して框体と戸当り部の間に隙間が生じたとしても、隔壁によって屋内外への火炎の連通を阻止して火災の拡大を抑制できる。
【発明の効果】
【００１３】
本発明による建具によれば、枠部の戸当り部と障子との当接部に対向するように隔壁を設けたから、火災発生時に熱変形によって枠部の戸当り部と障子の間に隙間が生じても屋内外に連通する火炎を隔壁によって阻止することができて、火災の拡大を抑制できる。
【図面の簡単な説明】
【００１４】
【図１】本発明の実施形態による段窓を示す正面図である。
【図２】図１に示す段窓のＡ−Ａ線水平断面図である。
【図３】図１に示す段窓のＢ−Ｂ線縦断面図である。
【図４】段窓の排煙窓における縦枠と障子との間に設けたアタッチメント枠と隔壁を示す図２の部分拡大断面図である。
【図５】図４に示すアタッチメント枠と障子と隔壁との間に設けた加熱発泡材が熱膨張した状態を示す要部斜視図である。
【図６】図４において、隔壁の内外に設けた加熱発泡材が熱膨張した状態を示す要部斜視図である。
【図７】図３において、下枠に設けたアタッチメント枠と障子の下框との間で加熱発泡材が熱膨張した状態を示す要部斜視図である。
【図８】従来の排煙窓における縦枠に設けたアタッチメント枠と障子とを示す要部水平断面図である。
【図９】図８に示す排煙窓におけるアタッチメント枠と縦框に隙間ができた状態を示す要部破断斜視図である。
【発明を実施するための形態】
【００１５】
以下、本発明の実施形態による建具としての段窓を図１乃至図７に基づいて説明する。
図１に示す実施形態による段窓１０はストアフロント等の店装商品であり、上述した従来技術に示す段窓と同様な構成を備えている。段窓１０は建物の躯体に形成された開口部に設置されている。段窓１０は、外側の四角形の左右の縦枠１１ａと上枠１１ｂ及び下枠１１ｃとからなる外枠１１が中央部に設けた無目１２で仕切られており、外枠１１における無目１２の下部の領域にはＦＩＸ窓１３が配設され、上部の領域に開閉可能な排煙窓１４が配設されている。
【００１６】
縦枠１１ａ、上枠１１ｂ、下枠１１ｃは略角筒状であり、各両端面が長手方向に対して直角に切断されたぶつ切りの切断面を有している。そして、図１において、左右の縦枠１１ａの側面に上枠１１ｂと下枠１１ｃの各端面を当接させてタッピングねじ等で固定している。図１乃至図３において、段窓１０における排煙窓１４は、外枠１１と無目１２で形成された上部の枠内にアタッチメント枠部１６が固定され、アタッチメント枠部１６内に開閉可能な障子１５が設置されている。アタッチメント枠部１６は左右の縦アタッチメント枠１８と上アタッチメント枠１９及び下アタッチメント枠２０とで形成されている。また、排煙窓１４の外枠は左右の縦枠１１ａ、上枠１１ｂ、無目１２で構成されている。
【００１７】
また、アタッチメント枠部１６の内側に設置された障子１５は左右の縦框２２と上框２３及び下框２４とで形成され、内部にガラスパネル２５を保持している。左右の縦框２２と上框２３及び下框２４は各両端面が長手方向に直角に切断されたぶつ切りの切断面を有する。そして、図１から図３において、左右の縦框２２に上框２３と下框２４の各端面を当接させてタッピングねじ等で固定している。また、排煙窓１４の障子１５は下框２４に図示しないヒンジが設けられ、上框２３にロック可能な錠が設けられていて、後述するステイダンパー３４によって下框２４のヒンジを中心にアタッチメント枠部１６に対して安定して開閉可能とされている。
【００１８】
そして、図２及び図４に示すアタッチメント枠部１６と障子１５において、縦アタッチメント枠１８は例えば縦枠１１ａ方向を向く断面略コの字形状の本体１８ａと縦框２２側に延びる戸当り片１８ｂとを有しており、例えばアルミ合金やステンレス等の金属で形成されている。
縦アタッチメント枠１８の屋外側端面には、アタッチメント枠部１６の縦枠１１ａに当接する第一凹部１８ｃと縦框２２側に設けた第二凹部１８ｄが形成され、第一凹部１８ｃと第二凹部１８ｄに不燃性の第一シール材２８と第二シール材２９がそれぞれ嵌合されている。
【００１９】
また、縦アタッチメント枠１８の戸当り片１８ｂの先端に形成した第三凹部１８ｅには不燃性の第三シール材３０が嵌合され、障子１５の縦框２２に当接している。戸当り片１８ｂの第三凹部１８ｅと第三シール材３０とは戸当り部３１を構成する。障子１５が開閉する際、その閉鎖作動を戸当り片１８ｂの戸当り部３１に当接した位置で停止させるようにしている。
更に、縦アタッチメント枠１８と縦框２２とで仕切る空間内には戸当り片１８ｂと縦框２２との間に不燃性の隔壁３３が取り付けられている。隔壁３３は例えば断面階段状のアングル材からなり、少なくとも一方の端部が縦框２２（または戸当り片１８ｂ）に連結されているが、一体に形成されていてもよい。隔壁３３は例えばアルミ合金やスチール、ステンレス等の金属からなっていることが好ましい。ここで、図４〜図６で示す縦アタッチメント枠１８と縦框２２とで仕切る空間Ｋにおいて、隔壁３３で仕切った屋外側を空間ｋ１、屋内側を空間ｋ２というものとする。
【００２０】
また、隔壁３３と縦アタッチメント枠１８と縦框２２とで仕切られた屋外側の空間ｋ１内には、排煙窓１４を確実に開閉させるために図示しない不燃性のオイルとコイルスプリング等を収納したステイダンパー３４が収納されている。このステイダンパー３４は例えば縦アタッチメント枠１８と縦框２２の間で高さ方向の下部に配設されている。
ステイダンパー３４に収納したオイルは高温加熱によって火災等の際に爆発したり飛び散ったりする可能性があり、オイルが屋内側に飛散したりすることを隔壁３３によって防ぐようにしている。しかも、オイルの飛散の範囲を縦框２２の長手方向の下から半分程度の範囲と想定して、バリアとして設けた隔壁３３は少なくとも下端から半分程度以上の高さに亘って設置するものとする。なお、縦框２２の高さ方向の上端付近はスペースがなく隔壁３３を設置しなくてよい。
【００２１】
また、隔壁３３と縦アタッチメント枠１８と縦框２２とで仕切られた屋外側の空間ｋ１内において、ステイダンパー３４におけるオイルの爆発や飛散等から排煙窓１４を保護するために加熱発泡材が固定されている。即ち、縦アタッチメント枠１８の本体１８ａの縦框２２に対向する面には第一の加熱発泡材３６がねじ２６や接着剤等で固定され、縦框２２の縦アタッチメント枠１８の本体１８ａに対向する面にも第二の加熱発泡材３７が固定され、更に本体１８ａに対向する隔壁３３の面にも第三の加熱発泡材３８が固定されている。
また、隔壁３３と戸当り片１８ｂと縦框２２とで仕切られた屋内側の空間ｋ２内において、戸当り片１８ｂに対向する隔壁３３（または戸当り片１８ｂ）に第四の加熱発泡材３９が固定されている。なお、第一〜第四の加熱発泡材３６，３７，３８、３９はステイダンパー３４の設置位置に対向して縦框２２の下端部に設置すると共に上端部まで延びているものとする。
【００２２】
そして、図５及び図６に示すように、火災等の際に、ステイダンパー３４を第一〜第四の加熱発泡材３６，３７，３８、３９が熱膨張して包囲することで、オイルが飛散したり爆発したりすることを防止できる。また、火災等の際、縦アタッチメント枠１８が熱変形して戸当り片１８ｂと縦框２２との間に隙間が発生した際、この隙間を通して火炎や空気等が屋内外を連通することを隔壁３３と空間Ｋ内で熱膨張する第一〜第四の加熱発泡材３６，３７，３８、３９によって封止できる。
特に、第一〜第四の加熱発泡材３６，３７，３８、３９に加えて隔壁３３を設置することで、加熱発泡材３６，３７，３８、３９の熱膨張は隔壁３３によって制限されるので、加熱発泡材３６，３７，３８、３９が排煙窓１４の外部に膨出することを防止できて加熱発泡材の密度を高めることができる。なお、空間ｋ１内にステイダンパー３４を設置しない場合には、隔壁３３の屋内側の空間ｋ２にのみ加熱発泡材３９を設けてもよい。或いは、空間ｋ１にのみ加熱発泡材３６〜３８を設けてもよい。
【００２３】
次に、図３及び図７において、無目１２側には窓用の下アタッチメント枠２０が図示しないねじ等で固定されている。この下アタッチメント枠２０は無目１２側を向く断面コの字状の本体２０ａと反対側の下框２４側に延びる戸当り片２０ｂとを有している。そして、下アタッチメント枠２０における屋外側端部に第一凹部２０ｃを形成して不燃性の第四シール材４２を嵌合させている。また、戸当り片２０ｂの先端部に形成した第二凹部２０ｄには障子１５の下框２４に当接する不燃性の第五シール材４３を嵌合させた戸当り部４４が設けられている。
【００２４】
また、無目１２の屋外側端部には押縁部材４５が設けられ、押縁部材４５を下アタッチメント枠２０の屋外側端部の第四シール材４２に当接させた状態で無目１２に押圧して固定している。下アタッチメント枠２０の本体２０ａの戸当り片２０ｂ側には第五の加熱発泡材４７がねじや接着剤等で固定されている。そして、火災等で下框２４に対して下アタッチメント枠２０が熱変形して隙間が発生すると、第五の加熱発泡材４７が熱膨張することで下框２４と戸当り部４４との隙間を封止することができる。
【００２５】
また、下アタッチメント枠２０の本体２０ａには、第五の加熱発泡材４７に並んで例えば断面略Ｌ字状の下部の隔壁４９が固定されている。下部の隔壁４９は、下アタッチメント枠２０が熱変形して戸当り部４４と下框２４との間に隙間が発生した場合に、火炎が屋内外を貫通することを阻止できる。また、第五の加熱発泡材４７が熱膨張した際、この加熱発泡材４７が外部、例えば屋外方向に飛び出すことを下部の隔壁４９で防止して加熱発泡材の密度を高く維持している。
【００２６】
また、図３において、外枠１１の上枠１１ｂには窓用の上アタッチメント枠１９が図示しないねじ等で固定されている。このアタッチメント枠１９は上枠１１ｂ側を向く断面コの字状の本体１９ａと反対側の上框２３側に延びる戸当り片１９ｂとを有している。そして、上アタッチメント枠１９における屋外側端部に第一凹部１９ｃを形成して不燃性の第六シール材５４を嵌合させている。また、戸当り片１９ｂの先端部に形成した第二凹部１９ｄには障子１５の上框２３に当接する不燃性の第七シール材５５を嵌合させた戸当り部５２が設けられている。上アタッチメント枠１９の上框２３側の本体１９ａにねじや接着剤等で固定された第六の加熱発泡材５３を設けている。
【００２７】
上述した外枠１１において、左右の縦枠１１ａ、上枠１１ｂ、無目１２のそれぞれの内面に窓用の縦アタッチメント枠１８、上アタッチメント枠１９、下アタッチメント枠２０が取り付けられており、火災の時に各アタッチメント枠１８，１９，２０は障子１５の縦框２２、上框２３、下框２４との間の任意の位置で熱膨張率の違いによる隙間を生じるから、各加熱発泡材３６，３７，３８、３９、４７、５３は間隙を形成することがないように、アタッチメント枠１８，１９、２０の四面全周に連続して取り付けることが好ましい。
【００２８】
本実施形態による段窓１０の排煙窓１４は上述の構成を備えているから、例えば室外で火災が発生した場合、障子１５の縦框２２、上框２３、下框２４とアタッチメント枠１８，１９、２０とはその厚みの違いや材質の違い等によって熱変形の割合が異なるため、薄板状のアタッチメント枠１８，１９、２０がより大きく熱変形して、戸当り部３１、４４、５２と障子１５の縦框２２、下框２４、上框２３との間に隙間がそれぞれ発生してしまう。しかも、その隙間は縦框２２、下框２４、上框２３と戸当り部３１、４４、５２との間にそれぞれ設けた各シール材３０、４３、５５の伸縮量を超える大きさであると、各シール材３０、４３、５５では封止状態を維持できない。
これに対し、本実施形態において、例えば図４に示す障子１５の縦框２２と縦アタッチメント枠１８の戸当り部３１との間に隙間が発生したとしても、縦アタッチメント枠１８の戸当り片１８ｂと縦框２２との間に隔壁３３を設けたため、屋内外を流通する火炎や空気の多くは隔壁３３によって阻止される。
【００２９】
しかも、図５に示すように、隔壁３３とアタッチメント枠１８の戸当り片１８ｂとの間に設けた第四の加熱発泡材３９が熱膨張することによって戸当り部３１と縦框２２との間の隙間を封止する。すると、上述した隔壁３３と戸当り片２７ｂとの間に若干の間隙があっても第四の加熱発泡材３９の熱膨張によって気密または液密に隙間を封止できるため、火炎や空気が屋内外を連通することを防止できる。
【００３０】
また、火災等によって、縦アタッチメント枠１８と縦框２２と隔壁３３との間の空間ｋ１に設置したステイダンパー３４内の不燃性のオイルが高温になって爆発したり飛散したりする可能性があるが、この場合でも、ステイダンパー３４の屋内側に隔壁３３が設置されているから、屋内側への直線的な炎の貫通やオイルの飛散等を隔壁３３によって阻止できる。
しかも、図２、図６に示すように、ステイダンパー３４の周囲には、縦アタッチメント枠１８に固定した第一の加熱発泡材３６、縦框２２に固定した第二の加熱発泡材３７、隔壁３３に固定した第三の加熱発泡材３８が熱膨張して、縦アタッチメント枠１８と縦框２２と隔壁３３との間の空間ｋ１に充満することになり、ステイダンパー３４の周囲を封止してオイルの爆発や飛散等を防止できる。しかも、上述したように、第四の加熱発泡材３９が熱膨張することによって戸当り部３１と隔壁３３との間の隙間を封止するため、ステイダンパー３４のオイルの爆発や屋内側への飛散等を確実に防止できる。
【００３１】
同様に、図７に示す無目１２に取り付けた下アタッチメント枠２０の戸当り部４４と障子１５の下框２４との間に隙間が発生したとしても、本体２０ａに固定した第五の加熱発泡材４７が熱膨張して戸当り部４４と下框２４との間の隙間を封止するため、屋外と屋内を連通させない。しかも、下アタッチメント枠２０の本体２０ａには下部の隔壁４９を設けたから、火炎が屋内外を貫通することを阻止すると共に第五の加熱発泡材４７が膨張して屋外側に飛び出すことを防止して密度を高めることができる。
【００３２】
また、図３においても、上アタッチメント枠１９の熱変形により障子１５の上框２３と上アタッチメント枠１９の戸当り部５２との間に隙間が形成されたとしても、第六の加熱発泡材５３が熱膨張するため、隙間を埋めて封止することができる。そのため、火炎や空気が屋内外を連通することを防止できる。
【００３３】
上述のように本実施形態による段窓１０の排煙窓１４は、外枠１１の縦枠１１ａに設けた縦アタッチメント枠１８の戸当り部３１と障子１５の縦框２２との間に熱変形による隙間が生じたとしても、屋内外への火炎の貫通を隔壁３３によって防止できる。しかも、隔壁３３と戸当り部３１との間の隙間は第四の加熱発泡材３９の熱膨張によって封止できる。そのため、屋外と屋内との間の熱の貫通を隔壁３３と加熱発泡材３９という二段の封止手段によって封止できる。また、隔壁３３によって第四の加熱発泡材３９の外部への飛び出しを抑制して密度を高めることができる。また、第一〜第三の加熱発泡材３６，３７，３８の熱膨張によっても隔壁３３と戸当り部３１との隙間を封止できる。
【００３４】
また、縦アタッチメント枠１８と縦框２２と隔壁３３によって仕切られた空間ｋ１内にステイダンパー３４を設けたため、火災時の熱でステイダンパー３４内の不燃性のオイルが爆発したり飛散したりするおそれがあるが、第一〜第三の加熱発泡材３６，３７，３８が熱膨張して体積膨張することでステイダンパー３４を覆って封止するため、火炎の貫通だけでなく、オイルの爆発や飛散を防止できる。特にステイダンパー３４を設置した高さ方向の下部にも第一〜第三の加熱発泡材３６，３７，３８を設置したため、確実にステイダンパー３４のオイルを封止できる。
更に、下アタッチメント枠２０の戸当り部４４と下框２４との間に生じる隙間も、加熱発泡材４７の熱膨張と隔壁４９によって封止すると共に、第五の加熱発泡材４７の外部への飛び出しを隔壁４９で封止できる。また、上アタッチメント枠１９の戸当り部５２と上框２３との間の隙間も第六の加熱発泡材５３の熱膨張で封止できる。
【００３５】
なお、本発明による排煙窓１４は、上述した実施形態に限定されるものではなく、本発明の要旨を逸脱しない範囲で適宜の変更や置換等が可能である。以下に、本発明の変形例について説明するが、上述した実施形態で説明した部品や部材等と同一または同様なものについては同一の符号を用いて説明する。
例えば、上述した実施形態では、上框２３に対向する上アタッチメント枠１９の本体１９ａに加熱発泡材５３を設置したが、図７と同様な隔壁４９を設けてもよい。
また、縦アタッチメント枠１８と縦框２２と隔壁３３との間の空間ｋ１に第一から第三の加熱発泡材３６，３７，３８を設けたが、ステイダンパー３４を設置しない場合には、第一から第三の加熱発泡材３６，３７，３８は設けなくてもよい。或いは空間ｋ１を封止するために例えば１つの加熱発泡材だけを設けてもよい。
【００３６】
また、第一〜第四の加熱発泡材３６、３７、３８、３９を縦アタッチメント枠１８の本体１８ａ、縦框２２、隔壁３３に固定したが、これに代えて、空間ｋ１、ｋ２内の加熱発泡材が熱膨張して内部を充満できるものであれば、縦アタッチメント枠１８の本体１８ａ、戸当り片１８ｂ、縦框２２、隔壁３３の任意の位置や向きに固定してもよい。
【００３７】
なお、上述した実施形態では、障子１５において縦框２２と上框２３や下框２４との連結部において、縦框２２の側面に上框２３や下框２４の端面を当接させてタッピングねじで連結するようにしたが、上框２３や下框２４の側面に縦框２２の端面を当接させてタッピングねじ等で連結させてもよいことは言うまでもない。
また、隔壁３３、４９の形状はアングル形状や断面Ｌ字形状に限定されるものではなく、火炎の貫通やオイルの爆発や飛散等を阻止できるものであれば円弧状等、適宜形状のものを採用できる。
【００３８】
また、上述の実施形態では、第一〜第六の加熱発泡材３６，３７，３８，３９、４７，５３は障子１５の左右の縦框２２、上框２３、下框２４またはアタッチメント枠１８、１９、２０の全周に連続して固定するようにしたが、一部に不連続な部分があってもよい。
また、上述した実施形態では、段窓１０の排煙窓１４について説明したが、本発明はこのようなものに限定されるものではなく、引き違い障子やＦＩＸ窓等を含む各種の窓やドア、カーテンウォール等を含む各種の建具に適用できる。ドア等ではステイダンパー３４を設置しないので、上述したように加熱発泡材の数を削減できる。また、ステイダンパー３４を設けない場合には、隔壁３３で仕切られた室外側の空間ｋ１と室内側の空間ｋ２のいずれか一方だけに加熱発泡材を設けるようにしてもよい。
【符号の説明】
【００３９】
１０  段窓
１１  外枠
１１ａ  縦枠
１１ｂ  上枠
１１ｃ  下枠
１２  無目
１４  排煙窓
１５  障子
１６  アタッチメント枠部
１８  縦アタッチメント枠
１８ａ，１９ａ、２０ａ  本体
１８ｂ、１９ｂ、２０ｂ  戸当り片
１９  上アタッチメント枠
２０  下アタッチメント枠
２２  縦框
２３  上框
２４  下框
３１、４４、５２  戸当り部
３３、４９  隔壁
３４  ステイダンパー
３６  第一の加熱発泡材
３７  第二の加熱発泡材
３８  第三の加熱発泡材
３９  第四の加熱発泡材
４７  第五の加熱発泡材
５３  第六の加熱発泡材
【図１】
2015048692.tif 000003
【図２】
2015048692.tif 000004
【図３】
2015048692.tif 000005
【図４】
2015048692.tif 000006
【図５】
2015048692.tif 000007
【図６】
2015048692.tif 000008
【図７】
2015048692.tif 000009
【図８】
2015048692.tif 000010
【図９】
2015048692.tif 000011